(57)【要約】【課題】  撮影画像が得られるたびに改善すべき点を促し、良好な撮影画像を得ることができる写真撮影装置を提供することである。【解決手段】  顧客による操作指示に従って、複数回連続して顧客を撮影するデジタルカメラを有し、そのデジタルカメラから取得された撮影画像をプリント出力する写真撮影装置において、プリント出力前に撮影画像を表示する表示部４０と、撮影回毎に撮影された撮影画像を表示部４０に表示させる制御手段と、を備える写真撮影装置。【選択図】図４
2006191223.tif 000002
【特許請求の範囲】
【請求項１】
顧客による操作指示に従って、複数回連続して顧客を撮影する撮影手段を有し、当該撮影手段から取得された撮影画像をプリント出力する写真撮影装置において、
プリント出力前に撮影画像を表示する表示手段と、
撮影回毎に撮影された撮影画像を前記表示手段に表示させる制御手段と、
を備えること、
を特徴とする写真撮影装置。
【請求項２】
請求項１に記載の写真撮影装置において、
前記制御手段は、
前記撮影回毎に、前記撮影画像に対して、撮影画像が予め設定された判断基準に適合するか否かの判定処理を行い、当該判定処理の判定結果情報を前記撮影画像と共に前記表示手段に表示させること、
を特徴とする写真撮影装置。
【請求項３】
請求項２に記載の写真撮影装置において、
前記制御手段は、
前記判定結果情報として、撮影画像が予め設定された判断基準に適合しないと判定された場合、顧客に対して問題箇所に対する注意喚起を促す注意情報を前記撮影画像と共に前記表示手段に表示させること、
を特徴とする写真撮影装置。
【請求項４】
請求項２又は３に記載の写真撮影装置において、
前記制御手段は、
前記判定処理の判定結果情報に基づいて、判定基準に適合した撮影画像数が予め設定された設定画像数に達するまで、前記撮影手段に撮影を行わせること、
を特徴とする写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドに従って顧客自ら撮影操作を行うことにより、簡単かつ短時間でプリント写真を得ることができる。
【０００３】
近年の写真撮影装置は、顧客自らの判断で撮影が行われるため、顧客が正面を向いていない、目をつぶっている等の証明写真として不適切な写真が撮影されることが想定される。そこで、取り直し機能を有する写真撮影装置が考案されている。
【０００４】
例えば、カメラで撮影された被写体の映像をプリント作成のために使用する前に、使用者が該映像を容認または拒絶することを可能ならしめる使用者制御装置が設けられ、使用制御装置の操作に基づいて、使用者が容認した映像にかかる電子情報が処理され、処理された電子情報に対するプリントを作成する自動写真撮影装置が開示されている（特許文献１参照）。
【０００５】
また、予め設定された複数の回数だけ連続的に撮影を行い、撮影終了後に撮影された複数の画像を一括して表示し、表示された画像から最良の画像を選択可能とした写真撮影装置（１）、撮影回毎に画像を表示し、プリント選択又は再撮影を行うか否かを選択可能とした写真撮影装置（２）、動画を撮影し、撮影された動画を再生して最適な静止画像を選択可能とした写真撮影装置（３）が考案されている。
【特許文献１】特許第２８７７５３２号
【発明の開示】
【発明が解決しようとする課題】
【０００６】
しかしながら、（１）の写真撮影装置は、複数回連続して撮影を行う機会を顧客に与えることはできるが、全ての撮影が終了した後でないと画像を確認することができないため、顧客の顔の表示以外の服装が乱れている、体が傾斜している、影ができている等の複数の画像に共通した問題がある場合、不満の残る写真となってしまうことが多かった。（２）の写真撮影装置は、撮影と表示を繰り返すため、最終的には満足の得られる写真となるが、撮影の度に被写体となる顧客に画像の判断を委ねるため、顧客は撮影時の姿勢や表情を保つことに専念することができないという問題がある。（３）の写真撮影装置は、動画撮影中は静止画像を確認することができないため、顧客は不安な状況で撮影を継続しなくてはならないという問題がある。
【０００７】
本発明の課題は、撮影画像が得られるたびに改善すべき点を促し、良好な撮影画像を得ることができる写真撮影装置を提供することである。
【課題を解決するための手段】
【０００８】
請求項１に記載の発明は、顧客による操作指示に従って、複数回連続して顧客を撮影する撮影手段を有し、当該撮影手段から取得された撮影画像をプリント出力する写真撮影装置において、プリント出力前に撮影画像を表示する表示手段と、撮影回毎に撮影された撮影画像を前記表示手段に表示させる制御手段と、を備える写真撮影装置であることを特徴としている。
【０００９】
請求項２に記載の発明は、請求項１に記載の写真撮影装置において、前記制御手段は、前記撮影回毎に、前記撮影画像に対して、撮影画像が予め設定された判断基準に適合するか否かの判定処理を行い、当該判定処理の判定結果情報を前記撮影画像と共に前記表示手段に表示させること、を特徴としている。
【００１０】
請求項３に記載の発明は、請求項２に記載の写真撮影装置において、前記制御手段は、前記判定結果情報として、撮影画像が予め設定された判断基準に適合しないと判定された場合、顧客に対して問題箇所に対する注意喚起を促す注意情報を前記撮影画像と共に前記表示手段に表示させること、を特徴としている。
【００１１】
請求項４に記載の発明は、請求項２又は３に記載の写真撮影装置において、前記制御手段は、前記判定処理の判定結果情報に基づいて、判定基準に適合した撮影画像数が予め設定された設定画像数に達するまで、前記撮影手段に撮影を行わせること、を特徴としている。
【発明の効果】
【００１２】
請求項１に記載の発明によれば、撮影画像が得られるたびに撮影画像を確認することができるため、顧客が表示された撮影画像を観察することによって改善すべき点を見出すよう促すことができ、良好な撮影画像を得ることができる写真撮影装置を提供することができる。
【００１３】
請求項２に記載の発明によれば、請求項１と同様の効果を得られるのは勿論のこと、撮影画像に対し、予め設定された判断基準に適合するか否かの判定結果情報が撮影画像と共に表示されるため、顧客が撮影画像を良否判断する際の手助けを行うことができる。
【００１４】
請求項３に記載の発明によれば、請求項２と同様の効果を得られるのは勿論のこと、問題箇所に対する注意喚起を促すことができると共に、顧客は表示された注意情報を参照することにより、注意情報に応じた事項について注意をしながら次の撮影時の姿勢や表情を保つことに専念することができる。
【００１５】
請求項４に記載の発明によれば、請求項２又は３と同様の効果を得られるのは勿論のこと、予め設定された判断基準に適合するまで撮影が実行されるため、顧客にとって満足の得られる撮影画像を得る可能性を向上させることができる。
【発明を実施するための最良の形態】
【００１６】
以下、図を参照して本発明の実施の形態を詳細に説明する。
まず、構成を説明する。
図１に、本実施の形態における写真撮影装置１の概略構成図を示す。
【００１７】
図１に示すように、写真撮影装置１は、ボックス型に形成されており、その外壁にはプリントされた写真を取り出す取出口７１が設置されており、ボックス内部（以下、撮影室Ｒという）には、被撮影者としての顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、操作指示するための操作部６０、顧客Ｍが撮影室内に入室したことを検出するための入室センサＳ、撮影料金を精算するためのコインメック５０が設置されている。
【００１８】
図２に、写真撮影装置１の内部構成を示す。
図２に示すように、写真撮影装置１は、本体部１０、ストロボユニット２０、撮影手段としてのデジタルカメラ３０、表示手段としての表示部４０、コインメック５０、操作部６０、プリンタ部７０、通信部８０、入室センサＳを備えて構成されている。
【００１９】
本体部１０は、制御部１１０、Ｉ／Ｏコントロール１２０、ＲＯＭ（Read Only Memory）１３０、ＲＡＭ（Random Access Memory）１４０、ＤＶＤ（Digital Versatile Disk-R）１５０、Ｉ／Ｆ１６０から構成されており、Ｉ／Ｏコントロール１２０を介してストロボユニット２０、コインメック５０、スピーカ５５、操作部６０、に接続されるとともに、Ｉ／Ｆ１６０を介してプリンタ部７０に接続されている。また、制御部１１０、ＲＯＭ１３０、ＲＡＭ１４０、ＤＶＤ１５０の協働により制御手段が実現される。
【００２０】
制御部１１０は、ＲＯＭ１３０に記憶されているシステムプログラムや各種データ、本発明に係る撮影プリント処理プログラム（図３参照）や撮影処理プログラム（図４参照）等の各種プログラムやデータを読み出してＲＡＭ１４０に展開し、当該プログラムに従って各部の動作を集中制御する。また、制御部１１０は、画像処理プログラムとの協働により、撮影画像に対し、階調変換処理、鮮鋭性強調処理、トリミング、サイズ調整等の各種画像処理を施す画像処理機能を有している。
【００２１】
撮影プリント処理プログラムによって実行される撮影プリント処理は、操作画面及びアナウンス音声のデータをＤＶＤ１５０から読み出して順次操作画面を表示部４０に表示させるとともに、表示中の操作画面に応じたアナウンス音声をスピーカ５５から出力させる。また、操作画面においてプリント条件が選択操作されると、当該選択されたプリント条件の情報をＲＡＭ１４０に一時記憶させて設定する。
【００２２】
また、後述する撮影処理プログラムによって実行される撮影処理により、予め設定された複数の写真選択候補画像が設定されると、設定された写真選択候補画像からプリントさせる画像を選択させるための写真選択用の操作画面が表示部４０に表示される。そして、選択された画像に対してプリント出力用の画像処理を施し、ＲＡＭ１４０から読み出した設定されたプリントイメージに処理画像を合成してプリントデータを生成し、プリンタ部７０に出力する。
【００２３】
撮影処理では、撮影指示の操作がなされた場合、ストロボユニット２０及びデジタルカメラ３０を制御して顧客が撮影されると、撮影回毎に撮影画像の画像データが生成され、ＲＡＭ１４０内に画像データが一時的に記憶される。そして撮影画像に対して撮影回毎に表示部４０に表示される撮影結果表示用にサイズ調整及びトリミング等の所定の画像処理が施され、その処理画像（結果表示画像）が生成されるとともに、撮影画像に対して画像処理を施し、顔の認識や体の輪郭を検出し、予め設定された判断基準に適合するか否かの判定処理として、目つぶり、顔の曲がり、顔の向き、肩の曲がり、背景に対する顔の大きさ、背景の影の有無等の撮影画像に対する各種判定処理を行い、その判定結果に基づく判定結果情報としての注意情報をメッセージとして結果表示画像と共に表示部４０に表示させる。また、判定結果が予め設定された判断基準に適合すると判定された撮影画像数ｎ（各種判定結果が全て良である結果表示画像（写真選択候補画像）の数）が、予め設定された設定画像枚数Ｎに達すると判定されるまで、撮影処理が実行される。
【００２４】
撮影画像に対する判定処理としては、特開平８−６３５９７号公報記載の顔抽出法や公知の顔及び輪郭認識処理等を用いることができ、目つぶりの判定、目の位置を水平線とが平行であるか否かによる顔の曲がりの判定、顔の輪郭と目の位置との関係に基づく顔の向きの判定、体の輪郭を左右比較することによる肩の曲がりの判定、背景に対する顔の大きさとの比較による顔の大きさの判定、体の輪郭を検出することによる背景の陰の有無の判定等を行う。
【００２５】
また、メッセージとしては、「ＯＫ」、「目は閉じていませんか？」、「顔は曲がっていませんか？」、「正面を向いていますか？」、「カメラに近づきすぎて、顔が大きくなっていませんか？」、「フードのついた服で背景に影が出ていませんか？」等の、顧客に対して撮影時の問題箇所に対する注意喚起を促す内容のメッセージであることが好ましい。なお、メッセージ内容を音声出力させてもよい。
【００２６】
Ｉ／Ｏコントロール１２０は、本体部１０と、ストロボユニット２０、コインメック５０、操作部６０との間で情報のやり取りを仲介するインターフェイスであり、制御部１１０からの制御信号をストロボユニット２０、コインメック５０に送信するとともに操作部６０からの操作信号を制御部１１０に送信する。
【００２７】
ＲＯＭ１３０は、システムプログラムの他、プリント処理プログラム、撮影処理プログラム等の各種制御プログラム、撮影プリント処理プログラム、撮影処理プログラム及び各プログラムで処理されたデータ等を記憶する。
【００２８】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００２９】
ＤＶＤ１５０は、デジタルカメラ３０により撮影された撮影画像（原画像）の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００３０】
Ｉ／Ｆ１６０は、本体部１０と、プリンタ部７０との間で情報のやり取りを仲介するインターフェイスであり、制御部１１０で生成されたプリントデータを本体部１０からプリンタ７０へ送信する。
【００３１】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行う発光手段である。
【００３２】
デジタルカメラ３０は、シャッター、光学レンズ、ＣＣＤ（Charge Coupled Device）等の撮像素子、Ａ／Ｄ変換部等から構成される撮影手段であり、光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを撮影手段として適用することとしてもよい。
【００３３】
表示部４０は、ＬＣＤ（Liquid Crystal Display）等を備えて構成され、制御部１１０の指示に従って操作画面を表示したり、撮影画像のプレ表示を行う。
【００３４】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００３５】
スピーカ５５は、入力される音データに基づいてガイドアナウンス音声等を出力する。
【００３６】
操作部６０は、表示部４０と一体的に構成されるタッチパネル、撮影室の内壁に設けられた選択ボタン、撮影ボタン等の各種機能ボタン等のハードキーを備えて構成され、押下されたボタンに対応する操作信号を制御部１１０に出力する。
【００３７】
プリンタ部７０は、制御部１１０から入力されるプリントデータに基づいてプリント出力を行うプリント手段である。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００３８】
通信部８０は、ネットワークインターフェイスカード、モデム等の通信用インターフェイスから構成される通信手段であり、通信ネットワーク（不図示）上の外部機器と相互に情報の送受信を行う。例えば、他の写真撮影装置に画像データを転送してプリント出力させたりする。
【００３９】
入室センサＳは、顧客Ｍが撮影室Ｒに入室したことを検出するものであり、顧客Ｍの入室を検出するとその検出信号を制御部１１０に出力する。入室センサＳとしては、発光器と受光器とからなる光学式センサ等が適用可能である。
【００４０】
次に、本実施の形態の動作を説明する。
図３に、本実施の形態における写真撮影装置１により実行される撮影プリント処理のフローチャートを示す。
【００４１】
図３に示す撮影プリント処理では、まず、入室センサＳから入力される検出信号に基づいて、顧客が撮影室に入室したか否かが制御部１１０において判別され（ステップＳ１）、入室したと判別された場合（ステップＳ１：Ｙｅｓ）、表示部４０に撮影料金の料金ガイドを行う操作画面が表示される。顧客は、操作画面のガイドに従って規定の撮影料金をコインメック５０の入金口に投入する。
【００４２】
撮影料金が投入されると、コインメック５０において料金精算処理が行われ（ステップＳ２）、釣銭が有る場合は釣銭が返金口に排出される。次いで、表示部４０にカラー又は白黒のプリント条件が選択操作されるための操作画面が表示され、顧客が、この操作画面上で所望するカラー又は白黒のいずれか一方を選択すると、選択されたカラー又は白黒のいずれか一方のプリント条件がＲＡＭ１４０に一時的に記憶され設定される（ステップＳ３）。
【００４３】
カラー又は白黒いずれか一方のプリント条件が設定された後、表示部４０に写真種を選択操作させるための操作画面が表示される。操作画面上には、写真種として、例えば、免許証用、履歴書用、パスポート用、大型用にプリント形状等のプリント条件が予め定められた写真種が選択可能に表示されている。顧客が、この操作画面上で所望する写真種を選択すると、選択された写真種がＲＡＭ１４０に一時的に記憶され、設定される（ステップＳ４）。
【００４４】
カラー又は白黒の設定、写真種等のプリント条件の設定が実行されると、次に撮影準備及び操作についての操作画面が表示部４０に表示される（ステップＳ５）。
【００４５】
撮影準備及び操作についての操作画面が表示された後、顧客が操作画面上に表示された操作ボタンを押下操作することにより、ストロボユニット２０の制御によりストロボ２０ａが発光されるとともに、デジタルカメラ３０においての撮影処理が実行される（ステップＳ６）。
【００４６】
撮影処理終了後、予め設定された複数の写真選択候補画像が設定されると、設定された写真選択候補画像からプリントさせる画像を選択させる写真選択用の操作画面が表示部４０に表示される（ステップＳ７）。
【００４７】
操作画面上に表示された写真選択用の操作画面において、顧客が操作画面上に表示された複数の写真選択候補画像のうちのいずれかを選択すると（ステップＳ８）、選択された写真選択候補画像に対して所定の画像処理が施され、確認用の画像（確認画像）が生成される。その確認画像が表示された確認用の操作画面が表示部４０に表示される（ステップＳ９）。
【００４８】
また、確認画像に対し、設定されたプリント条件に従って、プリント出力用に階調処理変換、トリミング、サイズ調整等の各種画像処理が施され、プリント出力用の画像データ（出力画像データ）が生成され、ＲＡＭ１４０に一時的に記憶され設定される（ステップＳ１０）。
【００４９】
操作画面上に表示された確認用の操作画面において、顧客が操作画面上に表示された確認画像を観察し、画像の良否を判断する。そして顧客は、良好な画像ではないと判断した場合は撮り直しボタン（不図示）を選択し、良好な画像であると判断した場合にはプリントボタン（不図示）を選択する。
【００５０】
制御部１１０では、撮り直しボタン又はプリントボタンのいずれかが操作されたか否かが判断され（ステップＳ１１）、撮り直しボタンが操作された場合は（ステップＳ１１：撮り直し）、ステップＳ６の処理に戻り、再度撮影が行われる。
【００５１】
一方、プリントボタンが操作された場合は（ステップＳ１１：プリント）、ＲＡＭ１４０に記憶されている出力画像データが読み出され、プリンタ部７０に出力される。プリンタ部７０では、出力画像データに基づくプリント出力が行われる（ステップＳ１２）。
【００５２】
プリント出力されたプリント写真が取出口７１に排出されると（ステップＳ１３）、本処理が終了される。
【００５３】
次に、ステップＳ６において実行される撮影処理の動作を説明する。図４に、本実施の形態における写真撮影装置１により実行される撮影処理のフローチャートを示す。
【００５４】
まず、撮影準備及び操作についての操作画面が表示部４０に表示された後（ステップＳ５後）、顧客が操作画面上に表示された操作ボタンを押下操作することにより、ストロボユニット２０の制御によりストロボ２０ａが発光されるとともに、デジタルカメラ３０が顧客を撮影する（ステップＳ２１）。
【００５５】
デジタルカメラ３０から取得された撮影画像の画像データが生成され、撮影画像に対して結果表示画像の生成のための画像処理と、撮影画像に対して判定を行うための画像処理が施される（ステップＳ２２）。
【００５６】
処理済みの撮影画像に対して顔が認識され（ステップＳ２３）、認識された顔に対する目の輪郭や体の輪郭が検出され（ステップＳ２４）、検出された顔、目、体の輪郭に基づいて撮影画像に対する各種判定処理が実行される（ステップＳ２５）。
【００５７】
各種判定処理の判定結果が、全て良であるか否か（予め設定された判断基準に適合するか否か）が判別され（ステップＳ２６）、全て良（適合）ではないと判別された場合（１つでもが不良（不適合）である場合）（ステップＳ２６；Ｎｏ）、結果表示画像と共に判定結果に基づくメッセージが表示された不良結果表示画像が表示部４０に表示される（ステップＳ２７）。
【００５８】
各種判定処理の判定結果が全て良であると判別された場合（ステップＳ２６；Ｙｅｓ）、表示部４０に不良結果表示画像が表示されているか否かが判別される（ステップＳ２８）。
【００５９】
表示部４０に不良結果表示画像が表示されていると判別された場合（ステップＳ２８；Ｙｅｓ）、ＲＡＭ１４０及びＤＶＤ１５０に記憶されている不良結果表示画像の各種データが消去され（ステップＳ２９）、不良結果表示画像が表示された位置に結果表示画像と共に判定結果を示すメッセージが表示された良結果表示画像が写真選択候補画像として表示される（ステップＳ３０）。
【００６０】
表示部４０に不良結果表示画像が表示されていないと判別された場合（ステップＳ２８；Ｎｏ）、結果表示画像と共に判定結果を示すメッセージが表示された良結果表示画像が写真選択候補画像として表示される（ステップＳ３１）。
【００６１】
写真選択候補画像が表示部４０に表示されると、写真選択候補画像の数を計数する写真選択候補画像数ｎに１が加えられ（ステップＳ３２）、写真選択候補画像が設定される（ステップＳ３３）。
【００６２】
写真選択候補画像が設定された後、写真選択候補画像数ｎが予め設定された設定画像数Ｎと等しいか否かが判別される（ステップＳ３４）。写真選択候補画像数ｎが予め設定された設定画像数Ｎと等しくないと判別された場合（ステップＳ３４；Ｎｏ）、ステップＳ２１に戻り、設定画像数Ｎと等しくなるまで撮影処理が繰り返される。
【００６３】
写真選択候補画像数ｎが予め設定された設定画像数Ｎと等しいと判別された場合（ステップＳ３４；Ｙｅｓ）、撮影処理が終了される。
【００６４】
図５に、設定画像数Ｎが３の場合における撮影処理中に表示部４０に表示される操作画面の一例を示す。
図５（ａ）は、不良結果表示画像が表示部４０に表示された例を示し、図５（ｂ）は、良結果表示画像が写真選択候補画像として表示部４０に表示された例を示し、図５（ｃ）は、写真選択用の操作画面が表示部４０に表示された例を示す。
【００６５】
図５（ａ）〜（ｃ）に示すように、操作画面ｄ１には、予め設定された設定画像数Ｎに基づいて、３つの結果表示画像領域Ｗ１〜Ｗ３が表示されている。図５（ａ）に示す不良結果表示画像ｄ１３は、顧客に問題箇所に対する注意喚起を促すメッセージｄ１１と結果表示画像領域Ｗ１内に表示された結果表示画像ｄ１２とからなる。
【００６６】
図５（ｂ）に示す写真選択候補画像ｄ１６は、各種判定処理の判定結果が全て良であると判別され後、表示部４０に図５（ａ）に示す不良結果表示画像が表示されている場合、不良結果表示画像が表示された位置Ｗ１に写真として適切であると判定したことを示すメッセージｄ１４と結果表示画像ｄ１５とからなる良結果表示画像が写真選択候補画像ｄ１６として表示された場合を示す。
【００６７】
図５（ｃ）に示す写真選択用の操作画面ｄ２は、写真選択候補画像が予め設定された設定画像数（Ｎ＝３）と等しいと判別された後に表示部４０に表示される操作画面であり、撮影処理の各種判定処理の判定結果が全て良である結果表示画像ｄ１５が表示される。
【００６８】
このように、撮影画像が得られるたびに撮影画像を確認することができるため、顧客が表示された撮影画像を観察することによって改善すべき点を見出すよう促すことができ、良好な撮影画像を得ることができる写真撮影装置を提供することができる。また、撮影画像に対し、予め設定された判断基準に適合するか否かに応じたメッセージが結果表示画像と共に表示されるため、顧客が撮影画像を良否判断する際の手助けを行うことができるとともに、問題箇所に対する注意喚起を促すことができ、顧客は表示されたメッセージを参照することにより、メッセージに応じた事項について注意をしながら次の撮影時の姿勢や表情を保つことに専念することができる。更に、予め設定された判断基準に適合するまで撮影が実行されるため、顧客にとって満足の得られる撮影画像を得る可能性を向上させることができる。
【００６９】
また、本発明は、上記実施の形態の内容に限定されるものではなく、本発明の主旨を逸脱しない範囲で適宜変更可能である。
【図面の簡単な説明】
【００７０】
【図１】本実施の形態における写真撮影装置１の概略構成図である。
【図２】写真撮影装置１の内部構成図である。
【図３】本実施の形態における写真撮影装置１により実行される撮影プリント処理のフローチャートである。
【図４】本実施の形態における写真撮影装置１により実行される撮影処理のフローチャートである。
【図５】図５に、設定画像数Ｎが３の場合における撮影処理中に表示部４０に表示される操作画面の一例である。
【符号の説明】
【００７１】
１  写真撮影装置
１０  本体部
１１０  制御部
１２０  Ｉ／Ｏユニット
１３０  ＲＯＭ
１４０  ＲＡＭ
１５０  ＤＶＤ
１６０  Ｉ／Ｆ
２０  ストロボユニット
２０ａ  ストロボ
３０  デジタルカメラ
４０  表示部
５０  コインメック
５５  スピーカ
６０  操作部
７０  プリンタ部
８０  通信部
Ｃ  椅子
Ｍ  顧客
Ｒ  撮影室
Ｓ  入室センサ
【図１】
2006191223.tif 000003
【図２】
2006191223.tif 000004
【図３】
2006191223.tif 000005
【図４】
2006191223.tif 000006
【図５】
2006191223.tif 000007